【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
音声情報を受信する受信工程と、
受信した音声情報から雑音位置を推定する推定工程と、
推定した雑音位置の音声のパワー情報を抽出する抽出工程と、
抽出したパワー情報を用いて、前記音声情報から音声区間を検出する検出工程とを備えたことを特徴とする情報処理方法。
【請求項２】
前記検出工程は、前記推定工程で推定した雑音位置よりも後の音声情報から音声区間を検出することを特徴とする請求項１記載の情報処理方法。
【請求項３】
前記推定工程は、受信した音声情報の一定期間毎に雑音位置の推定を行うことを特徴とする請求項１記載の情報処理方法。
【請求項４】
前記一定期間は一発声区間とすることを特徴とする請求項３に記載の情報処理方法。
【請求項５】
前記検出工程は、前記抽出したパワー情報と、予め定められた値との間に定める閾値を超えた区間を前記音声区間として検出することを特徴とする請求項１に記載の情報処理方法。
【請求項６】
前記推定工程は、前記音声情報中のパワーが最低の位置を前記雑音位置として推定することを特徴とする請求項１に記載の情報処理方法。
【請求項７】
前記抽出工程は、前記抽出したパワー情報と前記次の期間の音声情報のパワー情報とを比較し、前記抽出したパワー情報より小さいパワー情報をその期間から抽出するパワー情報とすることを特徴とする請求項２に記載の情報処理方法。
【請求項８】
前記音声は電話回線を介して入力する音声とすることを特徴とする請求項１に記載の情報処理方法。
【請求項９】
前記検出した音声区間の音声を認識することを特徴とする請求項１に記載の情報処理方法。
【請求項１０】
前記推定した雑音位置の音声情報を用いて前記次の一定期間の音声情報からの雑音除去を行うことを特徴とする請求項２に記載の情報処理方法。
【請求項１１】
音声情報を受信する受信工程と、
受信した音声情報から雑音位置を推定する推定工程と、
推定した雑音位置の音声のスペクトル情報を抽出する抽出工程と、
抽出したスペクトル情報を用いて、前記音声情報から雑音除去を行う除去工程とを備えたことを特徴とする情報処理方法。
【請求項１２】
前記推定工程は、前記音声情報の一定期間の音声情報から雑音位置を推定し、
前記除去工程は、前記スペクトル情報を用いて、前記スペクトル情報を抽出した後の前記一定期間に含まれる音声区間から、雑音除去を行うことを特徴とする請求項１１記載の情報処理方法。
【請求項１３】
前記除去工程は、前記推定した雑音位置のパワー情報を用いて次の一定期間の入力音声から音声区間検出を行い、該音声区間から雑音除去を行うことを特徴とする請求項１２に記載の情報処理方法。
【請求項１４】
音声情報を受信する受信手段と、
受信した音声情報から雑音位置を推定する推定手段と、
推定した雑音位置の音声のパワー情報を抽出する抽出手段と、
抽出したパワー情報を用いて、前記音声情報から音声区間を検出する検出手段とを備えたことを特徴とする情報処理装置。
【請求項１５】
音声情報を受信する受信手段と、
受信した音声情報から雑音位置を推定する推定手段と、
推定した雑音位置の音声のスペクトル情報を抽出する抽出手段と、
抽出したスペクトル情報を用いて、前記音声情報から雑音除去を行う除去手段とを備えたことを特徴とする情報処理装置。
【請求項１６】
音声情報を受信するための制御プログラムと、
受信した音声情報から雑音位置を推定するための制御プログラムと、
推定した雑音位置の音声のパワー情報を抽出するための制御プログラムと、
抽出したパワー情報を用いて、前記音声情報から音声区間を検出するための制御プログラムとを記憶した記憶媒体。
【請求項１７】
音声情報を受信するための制御プログラムと、
受信した音声情報から雑音位置を推定するための制御プログラムと、
推定した雑音位置の音声のスペクトル情報を抽出するための制御プログラムと、
抽出したスペクトル情報を用いて、前記音声情報から雑音除去を行うための制御プログラムとを記憶した記憶媒体。
【手続補正２】
【補正対象書類名】明細書
【補正対象項目名】０００７
【補正方法】変更
【補正の内容】
【０００７】
【課題を解決するための手段】
上記従来技術の課題を解決するために、本発明は、音声情報を受信する受信工程と、受信した音声情報から雑音位置を推定する推定工程と、推定した雑音位置の音声のパワー情報を抽出する抽出工程と、抽出したパワー情報を用いて、前記音声情報から音声区間を検出する検出工程とを備えたことを特徴とする。
【手続補正３】
【補正対象書類名】明細書
【補正対象項目名】０００８
【補正方法】変更
【補正の内容】
【０００８】
上記従来技術の課題を解決するために、本発明は、音声情報を受信する受信工程と、受信した音声情報から雑音位置を推定する推定工程と、推定した雑音位置の音声のスペクトル情報を抽出する抽出工程と、抽出したスペクトル情報を用いて、前記音声情報から雑音除去を行う除去工程とを備えたことを特徴とする。
【手続補正４】
【補正対象書類名】明細書
【補正対象項目名】０００９
【補正方法】変更
【補正の内容】
【０００９】
上記従来技術の課題を解決するために、本発明は、音声情報を受信する受信手段と、受信した音声情報から雑音位置を推定する推定手段と、推定した雑音位置の音声のパワー情報を抽出する抽出手段と、抽出したパワー情報を用いて、前記音声情報から音声区間を検出する検出手段とを備えたことを特徴とする。
【手続補正５】
【補正対象書類名】明細書
【補正対象項目名】００１０
【補正方法】変更
【補正の内容】
【００１０】
上記従来技術の課題を解決するために、本発明は、音声情報を受信する受信手段と、受信した音声情報から雑音位置を推定する推定手段と、推定した雑音位置の音声のスペクトル情報を抽出する抽出手段と、抽出したスペクトル情報を用いて、前記音声情報から雑音除去を行う除去手段とを備えたことを特徴とする。
【手続補正６】
【補正対象書類名】明細書
【補正対象項目名】００１１
【補正方法】変更
【補正の内容】
【００１１】
上記従来技術の課題を解決するために、本発明は、音声情報を受信するための制御プログラムと、受信した音声情報から雑音位置を推定するための制御プログラムと、推定した雑音位置の音声のパワー情報を抽出するための制御プログラムと、抽出したパワー情報を用いて、前記音声情報から音声区間を検出するための制御プログラムとを記憶したことを特徴とする。
【手続補正７】
【補正対象書類名】明細書
【補正対象項目名】００１２
【補正方法】変更
【補正の内容】
【００１２】
上記従来技術の課題を解決するために、本発明は、音声情報を受信するための制御プログラムと、受信した音声情報から雑音位置を推定するための制御プログラムと、推定した雑音位置の音声のスペクトル情報を抽出するための制御プログラムと、抽出したスペクトル情報を用いて、前記音声情報から雑音除去を行うための制御プログラムとを記憶したことを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００４１
【補正方法】変更
【補正の内容】
【００４１】
以上説明したように本実施形態によれば、受信した音声情報から雑音位置を推定し、推定した雑音位置の音声のパワー情報を抽出し、抽出したパワー情報を用いて、前記音声情報から音声区間を検出する検出することにより、音声入力端子が一つの装置でも、ユーザに雑音学習期間を強要することなく、雑音環境下での正確な音声区間検出を可能とする。
【手続補正１７】
【補正対象書類名】明細書
【補正対象項目名】００４２
【補正方法】変更
【補正の内容】
【００４２】
以上説明したように本実施形態によれば、音声情報の一定期間毎に雑音位置を推定することにより、逐次その時点で適切な雑音情報を得ることができる。
【手続補正１８】
【補正対象書類名】明細書
【補正対象項目名】００４３
【補正方法】変更
【補正の内容】
【００４３】
以上説明したように本実施形態によれば、前記一定期間は一発声区間とすることにより、適当な間隔で雑音情報を更新していくことができる。
【手続補正１９】
【補正対象書類名】明細書
【補正対象項目名】００４４
【補正方法】変更
【補正の内容】
【００４４】
以上説明したように本実施形態によれば、前記抽出したパワー情報と、予め定められた値との間に定める閾値を超えた区間を前記音声区間として検出することにより、雑音を含む環境を考慮して適切な音声区間を切出すことができる。
【手続補正２０】
【補正対象書類名】明細書
【補正対象項目名】００４５
【補正方法】変更
【補正の内容】
【００４５】
以上説明したように本実施形態によれば、前記一定期間の音声におけるパワーが最低の位置を前記雑音位置と推定することにより、適切な雑音位置を推定することができる。
【手続補正２１】
【補正対象書類名】明細書
【補正対象項目名】００４６
【補正方法】変更
【補正の内容】
【００４６】
以上説明したように本実施形態によれば、前記抽出したパワー情報と前記次の期間の音声情報のパワー情報とを比較し、前記抽出したパワー情報より小さいパワー情報をその期間から抽出するパワー情報とすることにより、適宜学習しながら適切な雑音情報に更新していくことができる。
【手続補正２２】
【補正対象書類名】明細書
【補正対象項目名】００４７
【補正方法】変更
【補正の内容】
【００４７】
以上説明したように本実施形態によれば、前記音声は電話回線を介して入力する音声とすることにより、電話回線を介して入力した音声に対しても適切な雑音対策をすることができる。
【手続補正２３】
【補正対象書類名】明細書
【補正対象項目名】００４８
【補正方法】変更
【補正の内容】
【００４８】
以上説明したように本実施形態によれば、前記検出した音声区間の音声を認識することにより、雑音を考慮して除去した音声を認識することができるので、音声認識の精度を向上させることができる。
【手続補正２４】
【補正対象書類名】明細書
【補正対象項目名】００４９
【補正方法】削除
【補正の内容】
【手続補正２５】
【補正対象書類名】明細書
【補正対象項目名】００５０
【補正方法】変更
【補正の内容】
【００５０】
以上説明したように本実施形態によれば、前記認識した結果に対応する情報を出力することにより、適切な認識を行った情報に対して適切な情報を出力することができる。
【手続補正２６】
【補正対象書類名】明細書
【補正対象項目名】００５１
【補正方法】変更
【補正の内容】
【００５１】
以上説明したように本実施形態によれば、受信した音声情報から雑音位置を推定し、推定した雑音位置の音声のスペクトル情報を抽出し、抽出したスペクトル情報を用いて、前記音声情報から雑音除去を行うことにより、音声入力端子が１つの装置でも、ユーザに雑音学習期間を強要することなく、雑音環境下での正確な雑音除去を可能とする。
【手続補正２７】
【補正対象書類名】明細書
【補正対象項目名】００５２
【補正方法】変更
【補正の内容】
【００５２】
【発明の効果】
本発明によれば、雑音環境下での音声区間検出の精度を向上することが可能となる。